【手続補正書】
【提出日】平成15年10月10日(2003.10.10)
【手続補正１】
【補正対象書類名】明細書
【補正対象項目名】全文
【補正方法】変更
【補正の内容】
【発明の名称】画像表示装置の駆動方法
【特許請求の範囲】
【請求項１】Ｎ本（Ｎは２以上の自然数）の走査電極と複数のデータ電極とを有し、画素に印加される電圧の実効値に対し光学応答する画像表示装置の駆動方法において、
走査電極をＬ本ずつのＭ個のサブグループに分割し、サブグループを一括して選択するためにＬ行を有する直交行列（Ａ）の列ベクトルを時系列で展開した信号に基づく電圧を該サブグループに属する走査電極に印加するとともに、１つのサブグループに１つの選択パルスが印加されるたびに次のサブグループに選択パルスが印加されるものであり、
Ｌは８以下であり、かつＮは２００以上であって、
走査電圧ならびにデータ電圧の極性が選択パルス幅のＳ倍（Ｓは自然数）の周期性を持って反転されるとともに、Ｓは、Ｍ／Ｓの商の整数部分が偶数の場合その余りｂがＳ／ｂ＜１２を満たし、Ｍ／Ｓの商の整数部分が奇数の場合その余りｂがＳ／（Ｓ−ｂ）＜１２を満たすように設定されることを特徴とする画像表示装置の駆動方法。
【請求項２】ＳはＭの素因数を約数として持たない、請求項１に記載の画像表示装置の駆動方法。
【請求項３】ａＭ／Ｓ＝ｐ余り１またはＳ−１  （ａ，ｐは整数）
の関係を満たす最小のａと、
ｃＭ／Ｓ＝ｑ  （ｃ，ｑは整数）
となる最小のｃとが、
ｃ／ａ≦６
の関係を満たす、請求項１または２に記載の画像表示装置の駆動方法。
【請求項４】走査電圧の電圧振幅Ｖr とデータ電圧の最大電圧振幅Ｖc,max が、下記式１の関係を満たす、請求項１、２または３に記載の画像表示装置の駆動方法。
【数１】
1998161599.tif 000001
【請求項５】選択行列が４行４列のアダマール行列である、請求項１、２、３または４に記載の画像表示装置の駆動方法。
【発明の詳細な説明】
【０００１】
【発明の属する技術分野】
本発明は、高速で応答する液晶に適した液晶表示装置を駆動する方法に関する。特に、本発明は、複数ライン同時選択法（特開平６−２７９０７、ＵＳＰ５２６２８８１参照）でマルチプレクス駆動を行う、単純マトリクス型液晶表示装置に関する。
【０００２】
【従来の技術】
以下、本明細書では、走査電極を行電極または単にラインともいい、データ電極を列電極ともいうことにする。
【０００３】
高度情報化時代の進展にともなって情報表示媒体へのニーズはますます高まっている。液晶ディスプレイは薄型、軽量、低消費電力などの長所を有しており、半導体技術との整合性もよくますます普及するものと考えられる。一方で普及にともなって画面大型化、高精細化が求められるようになり大容量表示をする方法の模索が始まっている。そのなかでＳＴＮ（超ねじれネマティック）方式はＴＦＴ（薄膜トランジスタ）方式に比べ製造工程が簡素であり、低コストで生産できるので将来の液晶ディスプレイの主流になると考えられる。
【０００４】
ＳＴＮ方式で大容量表示をするためには従来から線順次マルチプレクス駆動法が行われている。この方法は各行電極を一本ずつ順次選択するとともに、列電極を表示したいパターンと対応させて選択するもので、全行電極が選択されることによって一画面の表示を終える。
【０００５】
しかし、線順次駆動法では、表示容量が大きくなるにつれて、フレーム応答と呼ばれる問題が起こることが知られている。線順次駆動法では、選択時には比較的大きく、非選択時には比較的小さい電圧が画素に印加される。この電圧比は一般に行ライン数が大きくなるほど（高デューティ駆動となるほど）大きくなる。このため、電圧比が小さいときには電圧実効値に応答していた液晶が印加波形に応答するようになる。すなわち、フレーム応答は、選択パルスの振幅が大きいためオフ時の透過率が上昇し、選択パルスの周期が長いためオン時の透過率が減少し、結果としてコントラストの低下を引き起こす現象である。
【０００６】
フレーム応答の発生を抑制するためにフレーム周波数を高くし、これにより選択パルスの周期を短くする方法が知られているが、これには重大な欠点がある。つまり、フレーム周波数を増やすと、印加波形の周波数スペクトルが高くなるので、表示の不均一を引き起こし、消費電力が上昇する。したがって選択パルス幅が狭くなりすぎるのを防ぐためにフレーム周波数の上限には制限がある。
【０００７】
周波数スペクトルを高くせずにこの問題を解決するために、最近、新駆動法が提案された。複数の行電極（選択電極）を同時に選択する複数ライン同時選択法である。この方法は複数の行電極を同時に選択し、かつ、列方向の表示パターンを独立に制御できる方法であり、選択幅を一定に保ったままフレーム周期を短くできる。すなわちフレーム応答を抑制した高コントラスト表示ができる。
【０００８】
【発明が解決しようとする課題】
複数ライン同時選択法においては、列表示パターンを独立に制御するために、同時に印加される各行電極には一定の電圧パルス列が印加される。電圧パルス列の印加が必要な理由は以下のとおりである。複数のラインを同時に選択する駆動法では、複数の行電極に同時に電圧パルスが印加されることになる。このとき、列方向の表示パターンを同時にかつ独立に制御するために、行電極には各々極性の違うパルス電圧が印加される必要がある。行電極には極性を持つパルスが何回か印加され、列電極にはデータに応じた電圧が印加される。こうして、全体として各画素にはオン、オフに応じた実効電圧が印加される。
【０００９】
この各行電極に印加される選択パルス電圧群はＬ行Ｋ列の行列（これを以後、選択行列（Ａ）という）として表せる。選択パルス電圧系列は互いに直交なベクトル群として表せるため、これらを列要素として含む行列は直交行列となる。この行列内の各行ベクトルは互いに直交である。行の数Ｌは同時選択行本数に対応し、各行はそれぞれのラインに対応する。たとえば、Ｌ本の選択ラインの中のライン１には、選択行列（Ａ）の１行目の要素が適応され、１列目の要素、２列目の要素の順に選択パルスが印加される。
【００１０】
本明細書では、選択行列（Ａ）の表記において、１は正の選択パルスを、−１は負の選択パルスを意味することとする。選択行列（Ａ）の代表例としてアダマール行列を図３に示す。図３（ａ）は４行４列のもの、図３（ｂ）は８行８列のもの、図３（ｃ）は８行８列のものの第１行を除いた７行８列のものである。
【００１１】
列電極には、この行列の各列要素および列表示パターンに対応した電圧レベルが印加される。すなわち、列電極電圧系列はこの行電極電圧系列を決める行列と表示パターンによって決まる。
【００１２】
列電極に印加される電圧波形のシーケンスは以下のように決定される。図２はその概念を示した説明図である。選択行列が４行４列のアダマール行列の場合を例にとって説明する。列電極ｉおよび列電極ｊにおける表示データが図２（ａ）に示したようになっているとする。列表示パターンは図２（ｂ）に示すようにベクトル（ｄ）として表される。ここで列要素が−１のときはオン表示を表し、１のときはオフ表示を表している。行電極に、行列の列の順に順次行電極電圧が印加されていくとすると、列電極電圧レベルは図２（ｂ）に示すベクトル（ｖ）のようになり、その波形は図２（ｃ）のようになる。図２（ｃ）において、縦軸、横軸はそれぞれ任意単位である。
【００１３】
部分ライン選択の場合、液晶表示素子のフレーム応答を抑制するために、１表示サイクル内で分散して電圧印加されることが好ましい。具体的には、たとえば、１番目の同時選択される行電極群（これを以下、サブグループという）に対するベクトル（ｖ）の第１番目の要素が印加された次には、２番目の同時選択される行電極群に対するベクトル（ｖ）の第１番目の要素が印加され、以下同様のシーケンスをとる。
【００１４】
したがって、実際に列電極に印加される電圧パルスシーケンスは、電圧パルスを１表示サイクル内でどのように分散するか、また同時選択される行電極群に対してそれぞれどのような選択行列（Ａ）が選ばれるかによって決定される。
【００１５】
ところで、最近頻繁に使用されるウインドウパターン表示などを行う場合、クロストークと呼ばれる現象がおき、表示上の問題となる。
クロストークの影響が最も顕著な場合となって現れるのがバー表示をさせたときである。この現象は、特開平８−６２５７４に説明されているとおり、駆動波形の歪みに起因する。
【００１６】
もう一つの大きな課題は、中間調表示におけるクロストークである。中間調表示の方式としては、フレームレートコントロール（ＦＲＣ）方式、振幅変調方式、ディザ法との組み合わせなどがあげられるが、ＦＲＣ方式が液晶表示装置の駆動方法としてはもっとも多く用いられている。この際、フリッカの発生を目立たなくするために、空間的に（隣接する画素間で）位相の差をつけフリッカをキャンセルさせる空間変調との組み合わせが頻繁に用いられる。この場合、２値表示を基本とするベタ表示とは異なり、各フレーム毎に画像の空間的な周波数が非常に高くなる場合がある。このために、クロストークが生じ画像の品位を劣化させていた。同様にディザ方式を用いた場合にも空間周波数が高くクロストークの問題が存在していた。
【００１７】
さらに、ビデオ表示など動画を表示する場合にも画像の劣化の問題がある。ビデオ表示においては、ウインドウなどの基本的に幾何学的な表示とは異なり、空間的に複雑な（すなわち空間周波数の高い）表示が多く出現する。したがって、特に、特定のウィンドウ内でビデオ表示を表示しようとした場合には、発生するクロストークによりビデオ表示自体の品位を劣化させるだけでなく、周辺のウインドウにも影響する問題が生じていた。
【００１８】
駆動波形の周波数主成分を液晶表示装置の周波数特性のよりフラットな中周波領域にし、上記のようなクロストークを低減するには、表示フレームとは独立のタイミングで極性反転を導入することが有効である。しかし、複数ライン同時選択法においては、従来の線順次駆動法とはそのアドレス方式が全く異なるため、極性反転の導入によりかえって別の特殊な表示不良の発生につながることがあり、クロストークの低減と他の表示品位の達成の両立の大きな障害となっていた。本発明は、複数ライン同時選択法においてクロストークや他の表示品位に関する課題を克服する駆動手法を提供するものである。
【００１９】
【課題を解決するための手段】
本発明は前述の問題点を解決するために、以下の画像表示装置の駆動方法を提供する。
【００２０】
すなわち、Ｎ本（Ｎは２以上の自然数）の走査電極と複数のデータ電極とを有し、画素に印加される電圧の実効値に対し光学応答する画像表示装置の駆動方法において、
走査電極をＬ本ずつのＭ個のサブグループに分割し、サブグループを一括して選択するためにＬ行を有する直交行列（Ａ）の列ベクトルを時系列で展開した信号に基づく電圧を該サブグループに属する走査電極に印加するとともに、一つのサブグループに一つの選択パルスが印加されるたびに次のサブグループに選択パルスが印加されるものであり、
Ｌは８以下であり、かつＮは２００以上であって、
走査電圧ならびにデータ電圧の極性が選択パルス幅のＳ倍（Ｓは自然数）の周期性を持って反転されるとともに、Ｓは、Ｍ／Ｓの商の整数部分が偶数の場合その余りｂがＳ／ｂ＜１２を満たし、Ｍ／Ｓの商の整数部分が奇数の場合その余りｂがＳ／（Ｓ−ｂ）＜１２を満たすように設定されることを特徴とする画像表示装置の駆動方法である。
【００２１】
また、特に、ＳはＭの素因数を約数として持たないことを特徴とする画像表示装置の駆動方法を提供する。
また、特に、ａＭ／Ｓ＝ｐ余り１またはＳ−１（ａ，ｐは整数）の関係を満たす最小のａと、ｃＭ／Ｓ＝ｑ（ｃ，ｑは整数）となる最小のｃとが、ｃ／ａ≦６の関係を満たす画像表示装置の駆動方法を提供する。
【００２２】
【発明の実施の形態】
本発明者らの解析によると、前述の極性反転に起因する不良は以下のような現象であると考えられる。
まず、従来の線順次駆動法（ＡＰＴ法）と、複数ライン同時選択法（各行ラインの選択パルスが表示フレーム内に分散した分散型複数ライン同時選択法に関し説明する）のアドレス手法の違いについて説明する。
【００２３】
ＡＰＴ法では、一つの表示フレーム中に各選択ラインが一度選択されその時点で列電極より表示データが供給され表示が実現される。したがって、その各フレーム１回の選択が、交流化されるように極性反転を導入する必要がある。
【００２４】
一方、複数ライン同時選択法においては、複数のラインが同時に選択され、各ラインとも複数の選択により一つの表示フレームが完結する。したがって、その複数回の選択が交流化されるように交流化を設定する必要がある。また、複数ライン同時選択法においては複数ラインが同時に選択されるので、もし選択パルスの時間幅がＡＰＴ法と同じであるとすると、より短いタイムインターバルで次の選択が訪れることになる。以上の、複数ライン同時選択法とＡＰＴ法とのアドレス方式における大きな違いをまとめると、表１のようになる。
【００２５】
【表１】
1998161599.tif 000002
【００２６】
すなわち、複数ライン同時選択法では、ＡＰＴ法より周期の短い複数回の選択に関し交流化を達成する必要がある。
【００２７】
極性反転によって発生しうる表示不良は、１）横筋現象、２）ビート、３）フリッカに大別される。
【００２８】
１）横筋は、均一なベタ表示の際にサブグループ（同時に選択されるライングループ）によって輝度が異なるため、ラインに沿った横筋として観察されるものである。これは、列電圧波形の極性反転時に生ずる行電極上の波形ひずみにより引き起こされる行電圧（選択電圧）の低下によるものである。
【００２９】
２）ビートは、輝度差のあるライン方向の横筋が列方向に移動して観察される現象である。これには、ＡＰＴ法でも共通で起こるもの（これを便宜上、以下タイプＡという）と、複数ライン同時選択固有のもの（これを便宜上、以下タイプＢという）とがあり、両方を低減する必要がある。
【００３０】
タイプＡは、極性反転のおこる空間的位置が時間的に徐々に移動することによって起こるものである。複数ライン同時選択法の場合には、複数の選択を考える必要があるので、ＡＰＴ法の場合のように次の選択スキャン時の極性反転の空間的位置のみを考慮すればよいのではなく、複数のスキャンの中での極性反転の空間的位置を考慮する必要がある。
【００３１】
タイプＢは、複数選択そのものと極性反転の関わりにより発生するものであり、複数ライン同時選択により、正極性の選択と負極性の選択が同時に起こることにより発生するものである。すなわち、あるサブグループ選択時に極性反転で微分波形がラインに乗った場合を考える。この場合、この微分波形は、選択波形が正の場合と負の場合では、実効電圧の増減に対する寄与が全く逆になる。たとえば、微分波形が正方向に発生すると、正の選択波形に対しては電圧を増加させ、負の選択波形に対してはその実効電圧を低下させる。このように、サブグループ内で実効電圧の異なるラインが存在することになる。複数ライン同時選択法では複数の選択が実行される間にこの増減がキャンセルされればよいが、これは、特殊な条件であり通常はどちらかにウェイトがおかれた片極性の状態となり、これにより発生する横筋が、スキャンに応じて流れて見えるのである。
【００３２】
３）フリッカには２種類あり、二値表示時のものと階調表示時のものとがある。いずれの場合においても、極性反転とアドレス方式により表示素子に印加される波形に生ずるきわめて低周波の成分により画面全体の明暗が時間的に繰り返して見えるいわゆるちらつき現象である。一般には２種以上の異なる波形の周波数成分同士によるうなり現象による場合が多い。特に直流成分が印加されると基本周波数の１／２周波数のフリッカが生じきわめて目立つこととなる。この直流成分は、実際に電圧を供給する電源の極性の非対称性などによって発生することが多い。複数ライン同時選択法のように複数の列電圧レベルを持つ場合には、それが発生しないように駆動手法を最適化することが特に重要となる。
【００３３】
上記のような表示上の問題点を克服するために、本発明では、まず下記の第１の条件を満たす駆動法を提案する。
【００３４】
すなわち、サブグループ数をＭとするとき、走査電圧ならびにデータ電圧の極性が選択パルス幅のＳ倍（Ｓは自然数）の周期性を持って反転されるとともに、Ｓは、Ｍ／Ｓの商の整数部分が偶数の場合その余りｂがＳ／ｂ＜１２を満たし、Ｍ／Ｓの商の整数部分が奇数の場合その余りｂがＳ／（Ｓ−ｂ）＜１２を満たすように設定されることである。
【００３５】
先に述べたように、フリッカは波形の低周波成分により引き起こされる。極性反転周期Ｓの値によっては、あるサブグループにはスキャン毎に同極性が集中し低周波成分が増大する。第１の条件は、同極性が連続してくる回数を規定し、低周波成分を規定する条件である。
【００３６】
図１はこの様子を示す説明図である。（ａ）はＭ／Ｓの商の整数部分が偶数の場合を示し、（ｂ）はＭ／Ｓの商の整数部分が奇数の場合を示す。図から明らかなように、Ｍ／Ｓの商の整数部分が偶数の場合は「ｂ／Ｓ」が、Ｍ／Ｓの商の整数部分が奇数の場合は「（Ｓ−ｂ）／Ｓ」が、連続する２回のスキャンで比べて、極性反転するサブグループの割合を示すことになる。したがって、それぞれがある一定値より大きいことが、フリッカを抑制する条件になる。極性反転が長期間起こらないので、駆動波形の低周波成分を生じさせるサブグループの数が減るためである。
【００３７】
この場合、ＳはＭの素因数を約数として持たないことが好ましい。ＳはＭの素因数を約数として持つと、極性反転が特定の場所で起こるため、横筋現象が生じるおそれがあるからである。
【００３８】
また、本発明では、さらに以下の第２の条件を満足することが好ましい。
【００３９】
すなわち、ａＭ／Ｓ＝ｐ余り１またはＳ−１（ａ，ｐは整数）の関係を満たす最小のａと、ｃＭ／Ｓ＝ｑ（ｃ，ｑは整数）となる最小のｃとが、ｃ／ａ≦６の関係を満たすようにする。
【００４０】
ビート現象は極性反転によって微分波形が行電極に乗り、実効値の差から輝度変化が生じ、これが時間的に上方または下方に徐々にずれるために起きるのであり、前述のように、複数ライン同時選択法でのアドレッシングにおいては従来駆動法よりも状況は複雑である。これは、あるサブグループにおける極性反転から極性反転までの時間的な幅（インターバル）と、極性反転の位置が時間的にどの方向にどれだけ空間的にずれていくかによって、見え方が決定される。インターバルが広く、極性反転のずれの方向の傾きが小さいほどビートは見えやすい。
【００４１】
ａＭ／Ｓ＝ｐ余り１またはＳ−１となる最小のａは、極性反転のずれの方向の傾きを表しており、ａスキャン後、１サブグループ上（または下）に極性反転が起こることを示している。また、ｃＭ／Ｓ＝ｑとなる最小のｃは、同一サブグループで極性反転が起こるまでの周期を示している。すなわち、ｃ／ａの値は、ビートの周期を示し、それが大きいほど低周波成分が増大し、ビートが見えやすくなることになる。本発明者らは、ｃ／ａ≦６の関係を満たすことでビートが抑制されることを見いだした。
【００４２】
なお、本発明では、第１および第２の条件を適用する場合において、同時選択ライン数Ｌは８以下であり、かつ全ライン数Ｎは２００以上であることを条件とする。Ｌが８を超えると、カラム波形が複雑となり、表示品位を制御することは現実的に難しい。また、Ｌが２００未満のときは、デューティ比が低く、電圧マージンが大きいため、上述のようなビートの問題は起こりにくい。
【００４３】
本発明は、以上のような極性反転に伴う表示不良を低減し高品位な画像を提供する。また、同時にクロストークの低減も図れるため、動画表示やパソコン表示などの高品位画像を提供する。
【００４４】
本発明においては、複数ライン同時選択法の波形の特徴により、従来とは異なるバイアス比での駆動が可能となる。ここで、バイアス比は、行電圧／列電圧の最大値で定義され、最適バイアス比は、Ｎ1/2 ／Ｌとなる。ＡＰＴ法では、列電圧が極端に高くなるため、一般にバイアス比は最適バイアス比より小さくして用いるのが普通である。
【００４５】
しかし、複数ライン同時選択法では１）ＡＰＴ法ではフレーム応答があるのでバイアスは小さくした方がコントラストが高いが複数ライン同時選択法では方式そのものでフレーム応答を抑制している、２）複数ライン同時選択法では行電圧がＡＰＴ法よりも低い、という２つの理由から、ＡＰＴ法のように、バイアス比を最適バイアス比より小さくして用いる必要がない。
【００４６】
むしろこの電圧比を最適バイアス比より大きくして使うことが望ましい。その理由は、こうすると列電圧の寄与率が下がり、そのため列電圧変化によるクロストークが減り、結果的にコントラスト比の低下なしにクロストークの低減が可能となるからである。
【００４７】
具体的には、行電圧の電圧振幅Ｖr と列電圧の最大電圧振幅Ｖc,max が、下記式１の関係を満たすことが本発明の画像表示装置おいてより高品位な画像を得るためにより望ましい条件である。
【００４８】
【数２】
1998161599.tif 000003
【００４９】
本発明の駆動方法は、従来から公知の複数ライン同時選択用の回路を使って簡単に実現できる。たとえば、階調方式としてＦＲＣ方式を用いる場合、空間変調ＦＲＣのルックアップテーブルを使ったコンパレータは、初段の多ビットデータをメモリに格納する前段にいれて、ＦＲＣ処理により入力データをルックアップテーブルから取り出したしきい値と比較して、オン、オフを決定した後の１ビット（１フレーム）データをメモリに格納し、それを順次読み出し複数ライン同時選択演算により列電極電圧波形を計算してもよいし、多ビットデータのままメモリに格納し、列電圧演算の前段で空間変調ＦＲＣのテーブルとの参照により１ビットのＦＲＣデータとしてもよい。空間変調テーブルは、ＲＯＭに格納して順次読み出して用いればよいが、論理回路で構成することも簡単に実現できる。これらの回路により演算された列電圧波形を複数の電圧レベルをもつ列信号ドライバに入力し液晶に電圧を印加することにより、表示ができる。
【００５０】
【実施例】
用いる液晶パネルの仕様は以下のとおりである。すなわち、応答時間（立ち上がり時間と立ち下がり時間との平均）が１００ｍｓ未満であり、液晶のツイスト角が２２０〜２６０度である。
【００５１】
［例１］
ＶＧＡ（６４０×４８０×３（ＲＧＢ））のカラーＳＴＮ表示素子を上下２画面に分割し２画面駆動とした。１画面の、行ラインは２４０であり、同時選択数Ｌ＝４（すなわちサブグループ数＝６１、ただしこのうち一つのサブグループは選択パルスのシ−ケンスを良好にするために使用するダミーサブグループ）で複数ライン同時選択駆動を行った。表示画面のサイズは対角１０．４インチ、用いた透明電極はＩＴＯで、シート抵抗５Ωのものであった。
【００５２】
用いた直交行列は、図４に示したものであり、階調表示はＦＲＣ方式を用いた。
最大駆動電圧（Ｖr ）は約１６Ｖであった。なお、バイアス比は、最適バイアス比（３．９）とした。極性反転周期は、選択パルス幅×２５とした。
この条件は、Ｍ＝６１、Ｓ＝２５、ｂ＝１１、ａ＝９、ｃ＝２５に相当しており、前述の第１の条件、第２の条件を満足する。
【００５３】
ビデオ表示を行ったところ、フリッカ、ビート、クロストークのほとんど見られない、繊細な階調表示が得られた。なお、フレーム周波数は１２０Ｈｚとして駆動し、コントラスト比５０：１、応答時間（立ち上が時間と立ち下がり時間の平均）は５０ｍｓであった。
【００５４】
［例２］
ＳＶＧＡ（８００×６００×３（ＲＧＢ））のカラーＳＴＮ表示素子を上下２画面に分割し２画面駆動とした。１画面の、行ラインは３００であり、同時選択数Ｌ＝４（すなわちサブグループ数＝７７、ただしこのうち２つのサブグループは選択パルスのシ−ケンスを良好にするために使用するダミーサブグループ）で複数ライン同時選択駆動を行った。表示画面のサイズは対角１２．１インチ、用いた透明電極はＩＴＯで、シート抵抗４Ωのものであった。
【００５５】
用いた直交行列は、図４に示したものであり、階調表示はＦＲＣ方式を用い１６階調の表示を行った。
最大駆動電圧（Ｖr ）は約１８Ｖであった。なお、バイアス比は最適バイアス×１．２（５．２）とした。極性反転周期は、選択パルス幅×１２とした。
この条件は、Ｍ＝７７、Ｓ＝１２、ｂ＝５、ａ＝５、ｃ＝１２に相当しており、前述の第１の条件、第２の条件を満足する。
【００５６】
ビデオ表示を行ったところ、フリッカ、ビート、クロストークのほとんど見られない、繊細な階調表示が得られた。なお、フレーム周波数は１２０Ｈｚとして駆動し、コントラスト比５０：１、応答時間（立ち上がり時間と立ち下がり時間との平均）は６５ｍｓであった。
【００５７】
【発明の効果】
本発明では、複数ライン同時選択法と高速液晶表示素子の性能をフルに引き出しフリッカ、ビート、クロストークの少ない高速・高コントラスト比表示を可能とし、従来にない単純マトリクスでの動画の多階調表示を可能とする。また、従来の駆動法に比して電源電圧の低減なども達成できる。
【図面の簡単な説明】
【図１】本発明の駆動方法を説明するための概念図。
【図２】（ａ）〜（ｃ）は複数ライン同時選択法での電圧印加方法を説明する概念図および波形図。
【図３】（ａ）〜（ｃ）はアダマール行列を示す説明図。
【図４】実施例で用いた選択行列を示す説明図。